(57)【要約】【課題】様々な規格のメモリカードを読み込むことができるメモリカード用ソケットを提供する。【解決手段】メモリカード用ソケットは、メモリカード用の少なくとも１つの第１の空間２１を有する本体２０と、第１の空間２１中に設けられ、メモリカードと電気的に接続される複数のピン３０と、第１の空間２１中へ延伸するように本体２０上にそれぞれ設けられ、メモリカードを保持する第１の弾性部材５０および第２の弾性部材４０と、第１の弾性部材５０が変形されないとき、第２の弾性部材４０が第１の空間２１から外向きへ変形されることを防ぐために、第１の弾性部材５０上に設けられた阻止部材５１とを備える。【選択図】図２
0003153706.tif 000002
【実用新案登録請求の範囲】
【請求項１】
メモリカード用の少なくとも１つの第１の空間を有する本体と、
前記第１の空間中に設けられ、前記メモリカードと電気的に接続される複数のピンと、
前記第１の空間中へ延伸するように前記本体上にそれぞれ設けられ、前記メモリカードを保持する第１の弾性部材および第２の弾性部材と、
前記第１の弾性部材が変形されないとき、前記第２の弾性部材が前記第１の空間から外向きへ変形されることを防ぐために、前記第１の弾性部材上に設けられた阻止部材と、を備えることを特徴とするメモリカード用ソケット。
【請求項２】
前記第１の弾性部材は、前記本体の頂壁上に設けられ、
前記第２の弾性部材は、前記本体の側壁上に設けられることを特徴とする請求項１に記載のメモリカード用ソケット。
【請求項３】
前記第１の弾性部材は、前記本体の側壁上に設けられ、
前記第２の弾性部材は、前記本体の頂壁上に設けられることを特徴とする請求項１に記載のメモリカード用ソケット。
【請求項４】
前記本体は、前記第１の空間とオーバーラップした第２の空間を有し、
前記第１の弾性部材および前記第２の弾性部材のそれぞれは、前記第１の空間と前記第２の空間とがオーバーラップされた箇所へ延伸されることを特徴とする請求項１に記載のメモリカード用ソケット。
【請求項５】
前記第１の空間中へ延伸されるように前記本体上に、前記第２の弾性部材と対向するように設けられ、前記メモリカードを保持する少なくとも１つの補助弾性部材をさらに備えることを特徴とする請求項１に記載のメモリカード用ソケット。
【考案の詳細な説明】
【技術分野】
【０００１】
本考案はメモリカード用ソケットに関する。
【背景技術】
【０００２】
メモリカードを電気的に接続するために用いるソケットを有する電子装置を使用した場合、メモリカードに多くのデータを記憶させることができる。一般に１つのソケットには、１つの規格のメモリカードしか用いることができなかったため、幅および高さが異なる規格の場合、メモリカードを読み込むことができなかった。そのため、様々な規格のメモリカードを読み込むことができるソケットが求められていた。
【考案の概要】
【考案が解決しようとする課題】
【０００３】
本考案は、上記問題点を鑑みてなされたものであり、様々な規格のメモリカードを読み込むことができるメモリカード用ソケットを提供することを目的とする。
【課題を解決するための手段】
【０００４】
上記目的を達成するため、請求項１の考案は、メモリカード用の少なくとも１つの第１の空間を有する本体と、前記第１の空間中に設けられ、前記メモリカードと電気的に接続される複数のピンと、前記第１の空間中へ延伸するように前記本体上にそれぞれ設けられ、前記メモリカードを保持する第１の弾性部材および第２の弾性部材と、前記第１の弾性部材が変形されないとき、前記第２の弾性部材が前記第１の空間から外向きへ変形されることを防ぐために、前記第１の弾性部材上に設けられた阻止部材と、を備えるものである。
【０００５】
請求項２の考案は、請求項１の考案において、前記第１の弾性部材は、前記本体の頂壁上に設けられ、前記第２の弾性部材は、前記本体の側壁上に設けられるものである。
【０００６】
請求項３の考案は、請求項１の考案において、前記第１の弾性部材は、前記本体の側壁上に設けられ、前記第２の弾性部材は、前記本体の頂壁上に設けられるものである。
【０００７】
請求項４の考案は、請求項１の考案において、前記本体は、前記第１の空間とオーバーラップした第２の空間を有し、前記第１の弾性部材および前記第２の弾性部材のそれぞれは、前記第１の空間と前記第２の空間とがオーバーラップされた箇所へ延伸されるものである。
【０００８】
請求項５の考案は、請求項１の考案において、前記第１の空間中へ延伸されるように前記本体上に、前記第２の弾性部材と対向するように設けられ、前記メモリカードを保持する少なくとも１つの補助弾性部材をさらに備えるものである。
【考案の効果】
【０００９】
本考案のメモリカード用ソケットによれば、様々な規格のメモリカードを読み込むことができる。
【図面の簡単な説明】
【００１０】
【図１】本考案の一実施形態によるメモリカード用ソケットを示す斜視図である。
【図２】図１のメモリカード用ソケットを示す分解斜視図である。
【図３】第１の弾性部材が変形されていないときの第１の弾性部材および第２の弾性部材を示す斜視図である。
【図４】第１の弾性部材が変形されるときの第１の弾性部材および第２の弾性部材を示す斜視図である。
【図５】第１の空間中にＭＳ  Ｄｕｏメモリカードを挿入したときのメモリカード用ソケットを示す正面図である。
【図６】第１の空間中へＭＳメモリカードを挿入したときのメモリカード用ソケットを示す部分拡大図である。
【図７】第２の空間中へＭＭＣまたはＳＤメモリカードが挿入されたときの図１のメモリカード用ソケットを示す正面図である。
【図８】本体の側壁上に設けられた第１の弾性部材と、本体の頂壁上に設けられた第２の弾性部材とを示す部分拡大図である。
【図９】他の実施形態によるメモリカード用ソケットを示す斜視図である。
【図１０】図９の第１の弾性部材および第２の弾性部材を示す部分拡大図である。
【図１１】さらに他の実施形態による第１の弾性部材および第２の弾性部材を示す部分拡大図である。
【考案を実施するための形態】
【００１１】
図１および図２を参照する。図１は、本考案の一実施形態によるメモリカード用ソケットを示す斜視図である。図２は、図１のメモリカード用ソケットを示す分解斜視図である。図１および図２に示すように、メモリカード用ソケットは、本体２０、複数のピン３０、第１の弾性部材５０、第２の弾性部材４０および阻止部材５１を備える。本体２０は、第１の空間２１と、第１の空間２１中に設けられたピン３０と、を有する。２つの弾性部材４０，５０は、第１の空間２１中へ延伸されるように本体２０上にそれぞれ設けられている。阻止部材５１は、第１の弾性部材５０上に設けられている。
【００１２】
図３を参照する。図３は、第１の弾性部材５０が変形されていないときの図２の第１の弾性部材５０および第２の弾性部材４０を示す斜視図である。図４は、第１の弾性部材５０が変形されるときの第１の弾性部材５０および第２の弾性部材４０を示す斜視図である。第１の弾性部材５０が変形されないとき、阻止部材５１は、第２の弾性部材４０が第１の空間２１から外向きへ変形されることを防ぐことができる。第１の弾性部材５０が変形され、阻止部材５１が第２の弾性部材４０をリリースする場合、第２の弾性部材４０が第１の空間２１から外向きへ変形される。
【００１３】
第１の空間２１にメモリカードが挿入されると、ピン３０によりメモリカードが電気的に接続され、２つの弾性部材４０，５０によりメモリカードが第１の空間２１中に保持される。
【００１４】
図５を参照する。図５は、第１の空間中にメモリースティックＤｕｏ（登録商標）（ＭＳ  Ｄｕｏ）メモリカード１２を挿入したときのメモリカード用ソケットを示す正面図である。ＭＳ  Ｄｕｏメモリカード１２が第１の空間２１に挿入されると、第２の弾性部材４０によりＭＳ  Ｄｕｏメモリカード１２が押圧され、阻止部材５１により、第２の弾性部材４０が第１の空間２１から外向きへ変形されることを防ぐことができる。このように、第１の弾性部材５０および第２の弾性部材４０により、ＭＳ  Ｄｕｏメモリカード１２が第１の空間２１中に保持される。
【００１５】
図６を参照する。図６は、第１の空間中へＭＳメモリカードを挿入したときのメモリカード用ソケットを示す部分拡大図である。ＭＳメモリカード１１が第１の空間２１中に挿入されると、挿入されたＭＳメモリカード１１により第１の弾性部材５０が変形され、阻止部材５１が第２の弾性部材４０をリリースする。このように、第２の弾性部材４０は、ＭＳメモリカード１１により押圧されて第１の空間２１から外向きへ変形されると、第１の弾性部材５０および第２の弾性部材４０によりＭＳメモリカード１１が第１の空間２１中に保持される。
【００１６】
本体２０は、第１の空間２１にオーバーラップした第２の空間２２を有する。図７を参照する。図７は、第２の空間２２中へマルチメディアカード（ＭｕｌｔｉＭｅｄｉａＣａｒｄ：ＭＭＣ）（登録商標）またはＳＤ（Ｓｅｃｕｒｅ  Ｄｉｇｉｔａｌ）メモリカードが挿入されたときの図１のメモリカード用ソケットを示す部分拡大図である。第２の空間２２中にＭＭＣまたはＳＤメモリカード１３が挿入されると、挿入されたＳＤメモリカード１３により第１の弾性部材５０が変形され、阻止部材５１により第２の弾性部材４０がリリースされる。そのため、第２の弾性部材４０が押圧され、第２の空間２２から外向きへ変形され、第１の弾性部材５０および第２の弾性部材４０により、ＳＤメモリカード１３が第２の空間２２中で保持される。
【００１７】
上述したように、ＭＳ、ＭＳ  Ｄｕｏなどのメモリカードは、第１の空間２１に挿入することができ、ＳＤ、ＭＭＣなどのメモリカードは、第２の空間２２に挿入することができる。さらに、第２の弾性部材４０は、第１の空間２１および第２の空間２２がオーバーラップされた箇所に延伸されている。また、第１の弾性部材５０は、第１の延伸部５２および第２の延伸部５３を有する。第１の延伸部５２は、第１の空間２１中へ延伸され、第２の延伸部５３は、第２の空間２２中へ延伸されている。そのため、ＭＳメモリカード１１を挿入すると、第１の延伸部５２が押圧されて第１の弾性部材５０を変形させ、ＭＭＣまたはＳＤメモリカード１３を挿入すると、第２の延伸部５３が押圧されて第１の弾性部材５０を変形させる。
【００１８】
第１の弾性部材５０は、本体２０の頂壁６０上に設けられ、頂壁６０と同じ金属片からなる。第２の弾性部材４０は、本体２０の側壁８０上に設けられる。続いて、図８を参照する。図８は、図２の第１の弾性部材５０および第２の弾性部材４０を示す部分拡大図である。図８に示すように、第１の弾性部材５０は、本体２０の側壁８０上に設けられ、第２の弾性部材４０は、本体２０の頂壁６０上に設けられる。第２の弾性部材４０は、頂壁６０と同じ金属片からなる。そのため、阻止部材５１は、第２の弾性部材４０が水平方向に変形されることを防ぐことができる。
【００１９】
図９を参照する。図９は、他の実施形態によるメモリカード用ソケットを示す斜視図である。図９に示すように、第１の弾性部材５０は、本体２０の底壁９０上に設けられ、第２の弾性部材４０は、本体２０の側壁８０上に設けられる。図１０は、図９の第１の弾性部材５０および第２の弾性部材４０を示す部分拡大図である。図１０に示すように、第１の弾性部材５０は、本体２０の底壁９０上に設けられ、第２の弾性部材４０は、本体２０の側壁８０上に設けられる。図１１は、さらに他の実施形態による第１の弾性部材５０および第２の弾性部材４０を示す部分拡大図である。図１１に示すように、第１の弾性部材５０は、本体２０の側壁８０上に設けられ、第２の弾性部材４０は、本体２０の底壁９０上に設けられる。そのため、阻止部材５１は、第２の弾性部材４０が上下方向に変形されることを防ぐことができる。
【００２０】
本体２０は、第１の空間２１および第２の空間２２の中へ延伸された補助弾性部材７０を有する。そのため、第２の弾性部材４０と、第２の弾性部材４０に対向するように設けられた補助弾性部材７０とを用いてメモリカードを挟持することができる。
【００２１】
当該技術分野の当業者が実施できるように、本考案の好適な実施形態を前述の通り開示したが、これらは本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２２】
１１  ＭＳメモリカード
１２  ＭＳ  Ｄｕｏメモリカード
１３  ＳＤメモリカード
２０  本体
２１  第１の空間
２２  第２の空間
３０  ピン
４０  第２の弾性部材
５０  第１の弾性部材
５１  阻止部材
５２  第１の延伸部
５３  第２の延伸部
６０  頂壁
７０  補助弾性部材
８０  側壁
９０  底壁
【図１】
0003153706.tif 000003
【図２】
0003153706.tif 000004
【図３】
0003153706.tif 000005
【図４】
0003153706.tif 000006
【図５】
0003153706.tif 000007
【図６】
0003153706.tif 000008
【図７】
0003153706.tif 000009
【図８】
0003153706.tif 000010
【図９】
0003153706.tif 000011
【図１０】
0003153706.tif 000012
【図１１】
0003153706.tif 000013
【手続補正書】
【提出日】平成21年7月3日(2009.7.3)
【手続補正１】
【補正対象書類名】明細書
【補正対象項目名】００１０
【補正方法】変更
【補正の内容】
【００１０】
【図１】本考案の一実施形態によるメモリカード用ソケットを示す斜視図である。
【図２】図１のメモリカード用ソケットを示す分解斜視図である。
【図３】第１の弾性部材が変形されていないときの第１の弾性部材および第２の弾性部材を示す斜視図である。
【図４】第１の弾性部材が変形されるときの第１の弾性部材および第２の弾性部材を示す斜視図である。
【図５】第１の空間中にＭＳ  Ｄｕｏメモリカードを挿入したときのメモリカード用ソケットを示す正面図である。
【図６】第１の空間中へＭＳメモリカードを挿入したときのメモリカード用ソケットを示す部分拡大図である。
【図７】第２の空間中へＭＭＣまたはＳＤメモリカードが挿入されたときの図１のメモリカード用ソケットを示す正面図である。
【図８】上記の変形例に係る本体の側壁上に設けられた第１の弾性部材と、本体の頂壁上に設けられた第２の弾性部材とを示す部分拡大図である。
【図９】他の実施形態によるメモリカード用ソケットを示す斜視図である。
【図１０】図９の第１の弾性部材および第２の弾性部材を示す部分拡大図である。
【図１１】変形例に係る第１の弾性部材および第２の弾性部材を示す部分拡大図である。
【手続補正２】
【補正対象書類名】明細書
【補正対象項目名】００１８
【補正方法】変更
【補正の内容】
【００１８】
第１の弾性部材５０は、本体２０の頂壁６０上に設けられ、頂壁６０と同じ金属片からなる。第２の弾性部材４０は、本体２０の側壁８０上に設けられる。続いて、図８を参照する。図８は、図２の第１の弾性部材５０および第２の弾性部材４０の変形例を示す部分拡大図である。図８に示すように、第１の弾性部材５０は、本体２０の側壁８０上に設けられ、第２の弾性部材４０は、本体２０の頂壁６０上に設けられる。第２の弾性部材４０は、頂壁６０と同じ金属片からなる。そのため、阻止部材５１は、第２の弾性部材４０が水平方向に変形されることを防ぐことができる。
【手続補正３】
【補正対象書類名】明細書
【補正対象項目名】００１９
【補正方法】変更
【補正の内容】
【００１９】
図９を参照する。図９は、他の実施形態によるメモリカード用ソケットを示す斜視図である。図９に示すように、第１の弾性部材５０は、本体２０の底壁９０上に設けられ、第２の弾性部材４０は、本体２０の側壁８０上に設けられる。図１０は、図９の第１の弾性部材５０および第２の弾性部材４０を示す部分拡大図である。図１０に示すように、第１の弾性部材５０は、本体２０の底壁９０上に設けられ、第２の弾性部材４０は、本体２０の側壁８０上に設けられる。図１１は、変形例に係る第１の弾性部材５０および第２の弾性部材４０を示す部分拡大図である。図１１に示すように、第１の弾性部材５０は、本体２０の側壁８０上に設けられ、第２の弾性部材４０は、本体２０の底壁９０上に設けられる。そのため、阻止部材５１は、第２の弾性部材４０が上下方向に変形されることを防ぐことができる。